(57)【特許請求の範囲】
【請求項１】
被支持物の底部に複数設けられて被支持物を床上に支持すると共に、被支持物の高さを調節可能とする高さ調節機構付き脚において、
被支持物の底部に形成された挿着孔に垂直方向に進退自在に挿着された第１脚軸部と、
該第１脚軸部の軸線方向に沿って所定間隔を存して設けられた複数の係合部と、
前記被支持物の底部から露出する前記各係合部に係脱自在であり、各係合部の何れかに係合させて該第１脚軸部に沿った被支持物の下降を規制する規制部材と、
前記第１脚軸部の下端部に螺合される調節螺子部を介して該第１脚軸部に連結され、該第１脚軸部の軸線廻りに回転させることによって該第１脚軸部の軸線方向に沿って伸縮される第２脚軸部とを備え、
前記第１脚軸部は角柱状に形成されており、
前記被支持物の底部の挿着孔は、該第１脚軸部に対応する形状に形成されて該第１脚軸部を回転不能な状態で挿着保持することを特徴とする高さ調節機構付き脚。
【請求項２】
各係合部は、夫々前記第１脚軸部の周壁の両側に軸線に直交する方向に互いに平行に延びる一対の係合溝により構成され、
前記規制部材は、両係合溝に対応する一対の係合片を一体に備えて第１脚軸部の周壁に装着される平面視略コ字形の板材であることを特徴とする請求項１記載の高さ調節機構付き脚。
【請求項３】
各係合部のうち、所定の位置にある係合溝は、他の係合溝の延設方向と異なる方向に延設されていることを特徴とする請求項２記載の高さ調節機構付き脚。
【請求項４】
各係合部は、夫々前記第１脚軸部の周壁の全周に形成された係合溝により構成され、
前記規制部材は、該係合溝に水平方向から係脱自在であって互いに対向する一対の係合片を一体に備えて第１脚軸部の周壁に装着される平面視略コ字形の板材であることを特徴とする請求項１記載の高さ調節機構付き脚。
【請求項５】
各係合部には、前記規制部材を係合したときに調節される夫々の高さ寸法の目安となる表示が施されていることを特徴とする請求項１乃至４の何れか１項記載の高さ調節機構付き脚。
【発明の詳細な説明】
【０００１】
【発明の属する技術分野】
本発明は、高さ調節機構付き脚に関し、例えば、システムキッチン等の設置空間に食器洗浄機やフロアキャビネット等の被支持物を設置するとき、被支持物の高さを調節することにより被支持物を該設置空間に適合させる高さ調節機構付き脚に関する。
【０００２】
【従来の技術】
この種の高さ調節機構付き脚は、例えば、食器洗浄機やフロアキャビネット等の被支持物の底部に複数設けられ、システムキッチンの設置空間にこれらの被支持物を設置するときに、被支持物の高さを調節して設置空間に合わせることができるようになっている。
【０００３】
従来、この種の高さ調節機構付き脚としては、被支持物の底部に形成された螺子孔を介して螺合される脚軸部を備えるものが知られている。該高さ調節機構付き脚によれば、脚軸部を回転させることにより、該脚軸部を所望の長さに伸縮させることができ、被支持物を所望の高さに調節することができる。
【０００４】
しかし、システムキッチンのワークトップの高さ寸法は一般に約８００mm〜約８５０mmであることから被支持物の高さ調節幅は約５０mmと比較的大きい。このため、被支持物を所望の高さに調節するためには、脚軸部を数十回転させなければならず、被支持物をシステムキッチンの設置空間に設置する際の作業効率が低下する不都合がある。
【０００５】
また、特開平１０−３２３３１６号公報に見られるように、食器洗浄機の底部に設けられて、システムキッチンの設置空間に合わせて該食器洗浄機の高さを２段階に調節可能とする脚が知られている。
【０００６】
該脚には、脚軸部の外周に突出する突起部が形成されている。前記食器洗浄機の下部には、前記脚軸部が水平方向から挿入される凹部が形成され、該凹部には、前記突起部が係合する一対の受入部が、上下方向に５０mmの間隔寸法を存して設けられている。そして、上方の受入部に突起部を係合させたときには、ワークトップの高さ寸法が８００mmのシステムキッチンの設置空間に食器洗浄機の高さを合わせることができ、下方の受入部に突起部を係合させたときには、ワークトップの高さ寸法が８５０mmのシステムキッチンの設置空間に食器洗浄機の高さを合わせることができる。なお、前記突起部はナット状に形成されて脚軸部に螺着されており、何れかの受入部に該突起部を係合させた後に、該突起部を回転させることで高さ寸法の微調節が行えるようになっている。
【０００７】
しかし、前記公報のものは、一対の受入部によってシステムキッチンのワークトップの高さ寸法が８００mmと８５０mmの２種にのみ対応する構成とされており、高さ寸法が８００mmと８５０mmの２種以外のシステムキッチンに対応させるためには、脚軸部に螺着された突起部を多数回転させなければならず、高さ調節作業が煩わしい不都合がある。
【０００８】
また、前記公報のものは、食器洗浄機の下部に、前記凹部及び各受入部といった比較的複雑な構成部分を設けておく必要があるために、食器洗浄機の製造工数が増加し、コスト高となる不都合がある。
【０００９】
更に、前記食器洗浄機に設けられる前記凹部及び各受入部は、前記食器洗浄機の側方に向かって開放させておき、前記脚軸部の水平方向からの着脱を可能とする一方、システムキッチンの設置空間への設置作業時には前記脚軸部が凹部から脱落し易い。そのため、前記脚軸部の凹部からの脱落を防止するストッパー等を前記凹部に設ける必要があり、それによって一層構造が複雑となる不都合がある。
【００１０】
【発明が解決しようとする課題】
かかる不都合を解消して、本発明は、被支持物の高さ調節作業を軽減することができ、しかも、構造簡単で安価な高さ調節機構付き脚を提供することを目的とする。
【００１１】
【課題を解決するための手段】
かかる目的を達成するために、本発明は、被支持物の底部に複数設けられて被支持物を床上に支持すると共に、被支持物の高さを調節可能とする高さ調節機構付き脚において、被支持物の底部に形成された挿着孔に垂直方向に進退自在に挿着された第１脚軸部と、該第１脚軸部の軸線方向に沿って所定間隔を存して設けられた複数の係合部と、前記被支持物の底部から露出する前記各係合部に係脱自在であり、各係合部の何れかに係合させて該第１脚軸部に沿った被支持物の下降を規制する規制部材と、前記第１脚軸部の下端部に螺合される調節螺子部を介して該第１脚軸部に連結され、該第１脚軸部の軸線廻りに回転させることによって該第１脚軸部の軸線方向に沿って伸縮される第２脚軸部とを備え、前記第１脚軸部は角柱状に形成されており、前記被支持物の底部の挿着孔は、該第１脚軸部に対応する形状に形成されて該第１脚軸部を回転不能な状態で挿着保持することを特徴とする。
【００１２】
本発明の高さ調節機構付き脚によって前記被支持物の高さを調節する場合には、該被支持物の底部に形成された挿着孔に挿着された前記第１脚軸部を、該挿着孔から所望の高さ寸法に合わせて引出し或いは押し込み、被支持物の底部から露出する最上端の前記係合部に前記規制部材を係合させる。これにより、該規制部材によって被支持物の下降が規制され、被支持物の高さを所望の高さに合わせることができる。
このように、本発明によれば、被支持物には前記第１脚軸部が進退可能な挿着孔を設けておくだけでよく、しかも、脚の高さ調節は複数の係合部の何れかに前記規制部材を係合させるだけでよいので、構造簡単であって安価に構成することができると共に、高さ調節作業を極めて容易且つ迅速に行うことができる。
【００１３】
前記第２脚軸部を設けたことにより、被支持物の高さを調節する際には、先ず、前記第１脚軸部の係合部に前記規制部材を係合して第１の高さ調節を行い、次いで、第２脚軸部を回転させて調節螺子部の進退による第２の高さ調節を行う。これにより、第１の高さ調節において誤差が生じた場合にも、第２の高さ調節により第２脚軸部を伸長或いは収縮させて誤差を解消させることができ、精度の高い高さ調節が可能となる。
そして、前記第１脚軸部が角柱状に形成されており、前記被支持物の底部の挿着孔を、該第１脚軸部に対応する形状に形成されていることで、該第１脚軸部は回転不能とされているので、第２脚軸部による高さ調節時に、第１脚軸部の回転を確実に防止して、調節螺子部による高精度な高さ調節を容易に行うことができる。
【００１４】
更に、各係合部間の間隔寸法を小として、より多くの係合部を形成しておくことにより、被支持物を規制する高さをより細かく選択して調節精度を高めることが可能となる。
また、例えば、各係合部を前記係合溝によって形成した場合に、各係合溝間の間隔寸法を過剰に小とすると、各係合溝間が肉薄となって、被支持物の荷重に対する強度が低下するおそれがある。このような場合にも、前記第２脚軸部が設けられていることにより、各係合部間の間隔寸法を十分に強度が得られる寸法として、調節螺子部の進退による正確な高さ調節を行うことができる。
【００１５】
また、本発明の一態様として、各係合部は、夫々前記第１脚軸部の周壁の両側に軸線に直交する方向に互いに平行に延びる一対の係合溝により構成され、前記規制部材は、両係合溝に対応する一対の係合片を一体に備えて第１脚軸部の周壁に装着される平面視略コ字形の板材であることを特徴とする。
【００１６】
前記係合部を前記係合溝とすることにより、被支持物の底部から露出する係合溝の数から、調節する被支持物の高さ寸法の目安を外観で確認することが容易に行え、調節ミスの発生を低減することができる。
【００１７】
更に、前記規制部材を平面視略コ字形の板材とすることにより、製造が極めて容易であり安価に構成することができる。
【００１８】
また、この態様において、各係合部のうち、所定の位置にある係合溝は、他の係合溝の延設方向と異なる方向に延設されていることを特徴とする。
【００１９】
即ち、例えば、被支持物が予め定められた２種の高さ寸法の設置空間に設置されることが考えられるとき、一方の高さ寸法の設置空間に対応する位置の係合溝と、他方の高さ寸法の設置空間に対応する位置の係合溝とを、互いに異なる方向に延設する。これにより、被支持物を設置するときの各設置空間の高さ寸法に合わせて、前記規制部材を係合する係合部を迅速に選択することができ、設置作業を軽減することができる。
【００２０】
また、本発明において、各係合部は、夫々前記第１脚軸部の周壁の全周に形成された係合溝により構成され、前記規制部材は、該係合溝に水平方向から係脱自在であって互いに対向する一対の係合片を一体に備えて第１脚軸部の周壁に装着される平面視略コ字形の板材であることを特徴とする。各係合部の係合溝は、第１脚軸部の全周に設けられているので、何れの方向からでも前記規制部材を水平に係合させることができる。これにより、被支持物の高さを調節する際に、前記規制部材を係合し易い方向を選択して係合溝に係合させることができ、高さ調節作業を容易に行うことができる。
【００２１】
また、本発明において、各係合部には、前記規制部材を係合したときに調節される夫々の高さ寸法の目安となる表示が施されていることを特徴とする。これにより、高さ調節作業時に、目安となる表示を確認しつつ係合部に規制部材を係合させることができ、高さ調節作業を容易且つ迅速に行うことができる。
【００２６】
【発明の実施の形態】
本発明の一実施形態を図面に基づいて説明する。図１は本実施形態の高さ調節機構付き脚を備える食器洗浄機の説明的側面図、図２は図１の要部の説明的縦断面図、図３は高さ調節機構付き脚の構成を示す説明的斜視図、図４及び図５は夫々他の実施形態の脚軸部を示す斜視図である。
【００２７】
図１において、１はシステムキッチンのワークトップ、２は床、３はワークトップ１と床２との間に形成された設置空間に設置された食器洗浄機である。該食器洗浄機３の底部４の四隅部には４つの（図示は２つ）高さ調節機構付き脚５が設けられている。該脚５は、食器洗浄機３を床２上に支持すると共に、該食器洗浄機３が前記設置空間に合致するように該食器洗浄機３の高さ寸法を調節する。
【００２８】
次に、該脚５の構成について説明する。図２に示すように、該脚５は、四角柱状の第１脚軸部６と、該第１脚軸部６の軸心に沿って形成された螺子孔７を介して螺合された第２脚軸部８とによって構成されている。
【００２９】
図２に示すように、前記第１脚軸部６は、前記食器洗浄機３の底部４に形成された挿着孔９を介して該底部４に上下方向に進退自在に挿着されている。該挿着孔９には、底板４の上方に向かって延設された挿着案内部９ａが設けられており、該挿着案内部９ａの案内によって前記第１脚軸部６はガタ付き無く挿着孔９に挿着される。また、該第１脚軸部６の側壁には、複数の係合部１０が形成されている。各係合部１０は、図３に示すように、第１脚軸部６の対向側壁に水平方向に平行に延設された一対の係合溝１０ａ，１０ｂによって構成されている。各係合部１０を構成する係合溝１０ａ，１０ｂには、略コ字形に形成された板状の規制部材１１が係合される。なお、上下に隣り合う各係合溝１０ａ，１０ｂのピッチは５mmに設定されている。更に、該第１脚軸部６の側壁の後端部には該第１脚軸部６の軸線方向に延びる複数の溝６ａが形成されている。該溝６ａによって、前記挿着案内部９ａの案内による挿着孔９への挿着時に、第１脚軸部６の側壁と挿着孔９及び挿着案内部９ａとの摩擦抵抗を軽減することができる。
【００３０】
該規制部材１１は、図３に示すように、両係合溝１０ａ，１０ｂに係合する一対の係合片１１ａ，１１ｂと、両係合片１１ａ，１１ｂを一方端において連結する連結部１１ｃとからなる。図２に示すように、該規制部材１１は、何れかの係合部１０に係合され、食器洗浄機３の底部４を支持して該食器洗浄機３の下降を規制する。なお、図２に示すように、食器洗浄機３の底部４には、規制部材１１を係合部１０への係合方向に案内し且つ該規制部材１１を介して第１脚軸部６の下降を規制する一対の案内部材１２を設けておくことが好ましい。
【００３１】
前記第２脚軸部８は、前記第１脚軸部６の螺子孔７に螺合する調節螺子部１３と、該調節螺子部１３の下端に連結された床面当接板１４とによって構成されている。該第２脚軸部８は、調節螺子部１３の回転によって上下方向に伸縮される。
【００３２】
以上の構成からなる脚５により、食器洗浄機３の高さを調節する場合には、図３に示すように、システムキッチンのワークトップ１（図１参照）の高さに適合する係合部１０に規制部材１１を係合させる。次いで、第２脚軸部８の調節螺子部１３を回転させて微調節を行い食器洗浄機３の高さをシステムキッチンの設置空間の高さ（図１において床２上面からワークトップ１の下面までの距離）に正確に合致させる。このとき、食器洗浄機３の底部４の四隅部にある全ての脚５について第２脚軸部８の調節螺子部１３を回転させる高さ調節を行い、食器洗浄機３の水平度も調節する。その後、図１に示すように、食器洗浄機３を設置空間内に移動し、システムキッチンと一体化させる。
【００３３】
このように、食器洗浄機３の高さ調節は、ワークトップ１の高さに応じて選択された係合部１０に規制部材１１を係合させるだけでよく、床２の状態等の影響による誤差が生じている場合には、調節螺子部１３を回転させるだけで高精度な調節を行うことができる。
【００３４】
また、食器洗浄機３の底部４には、第１脚軸部６に対応する挿着孔９を設けておくだけでよいので、食器洗浄機３の製造コストを増加させることなく、脚５を安価に設けることができる。
【００３５】
このように、前記食器洗浄機３に本発明の高さ調節機構付き脚５を採用すれば、システムキッチンのワークトップ１の高さ寸法が如何なるものであっても迅速に食器洗浄機３の高さ寸法を調節して設置空間に対応させることができるが、前記システムキッチンのワークトップ１の高さ寸法は、国内では主に８００mmと８５０mmであり、それに伴って、システムキッチンに設けられる食器洗浄機３の設置空間もその高さが大小２種とされているのが一般的である。
【００３６】
このように、予め食器洗浄機３を設置する空間の高さが判明している場合には、例えば、図示しないが、第１脚軸部６の８００mmと８５０mmとに適合する夫々の係合部１０にその旨を視認させる表示を施すことによって、高さ調節時の作業をより軽減させることができる。
【００３７】
また、図４に示すように、第１脚軸部６の下側に位置する係合部１０の係合溝１０ａ，１０ｂの延設方向と、上側に位置する係合部１０の係合溝１０ａ，１０ｂの延設方向とを異ならせて設けておくことにより、調節する高さの度合いが（大小２種の場合）、前記規制部材１１の係合方向によって容易に確認することができ、調節作業時の係合部１０の選択ミスを防止することができる。
【００３８】
また、本実施形態においては、図３に示すように、前記係合部１０を一対の係合溝１０ａ，１０ｂによって構成したものを示したが、それに限るものではなく、例えば、図５に示すように、各係合部１０を第１脚軸部６の周壁の全周に形成された係合溝１０ｃとしてもよい。これによって、各係合部１０に対して前記規制部材１１を何れの方向からも係合させることができ、高さの調節作業時には各係合部１０の最も係合し易い方向から規制部材１１を係合させることにより、高さの調節作業を円滑に行うことができる。
【００３９】
また、本実施形態においては、図２に示すように、前記第１脚軸部６を四角柱状として挿着孔９に回転不能に挿着させ、前記第２脚軸部８の調節螺子部１３を回転させるときの第１脚軸部６の追従回転を防止して、微調節を容易に行なえるようにしている。
【００４１】
更に、本実施形態においては、高さ調節機構付き脚５を食器洗浄機３に採用した例を示したが、本発明の高さ調節機構付き脚５は、図示しないが、システムキッチンにおけるフロアキャビネットの脚としても好適に採用することができる。
【図面の簡単な説明】
【図１】本発明の一実施形態の高さ調節機構付き脚を備える食器洗浄機の説明的側面図。
【図２】図１の要部の説明的縦断面図。
【図３】本実施形態の高さ調節機構付き脚の構成を示す説明的斜視図。
【図４】他の実施形態の脚軸部を示す斜視図。
【図５】他の実施形態の脚軸部を示す斜視図。
【符号の説明】
２…床、３…食器洗浄機（被支持物）、４…底部、５…高さ調節機構付き脚、６…第１脚軸部、８…第２脚軸部、９…挿着孔、１０…係合部、１０ａ，１０ｂ，１０ｃ…係合溝、１１…規制部材、１１ａ，１１ｂ…係合片、１３…調節螺子部。
【図１】
0003746930.tif 000002
【図２】
0003746930.tif 000003
【図３】
0003746930.tif 000004
【図４】
0003746930.tif 000005
【図５】
0003746930.tif 000006